(57)【要約】【課題】効果的な入力練習することができる文字入力練習用プログラムを提供すること。【解決手段】パソコン１は、インターネット６を介してコンテンツサーバ８が提供するコンテンツを受信し、コンテンツに含まれる文章を文節ごとに区切ることで文字データを抽出し、抽出した文字データを文字入力の練習を行うための例文として表示する。ユーザは、表示された例文と同じ文字列をキーボード２にて入力することにより文字入力の練習をする。【選択図】　　　　図１
2004086035.tif 000002
【特許請求の範囲】
【請求項１】
情報処理端末が文字列で構成される例文を情報処理端末に備えられた出力装置に表示し、ユーザが前記情報処理端末に備えられたキーボードにて前記例文と同様の文字列を入力する文字入力練習用プログラムにおいて、
前記情報処理端末がネットワーク上のコンテンツから抽出した文字データを前記例文として表示することを特徴とする文字入力練習用プログラム。
【請求項２】
前記情報処理端末が、ネットワークを介してサーバから受信したコンテンツに含まれる文章に関するデータを加工し、該加工した文字データを前記例文として使用することを特徴とする請求項１に記載の文字入力練習用プログラム。
【請求項３】
請求項１又は２に記載の文字入力練習用プログラムを記録したことを特徴とする記録媒体。
【発明の詳細な説明】
【０００１】
【発明の属する技術分野】
本発明は、文字入力練習用プログラム及びその記録媒体に関するものである。
【０００２】
【従来の技術】
従来、パソコンのアプリケーション上でユーザが文字を入力する際、文字入力に対応したキーから構成されるキーボードをユーザが操作することによって文字が入力されていた。
【０００３】
ところで、文字をより早く打ち込むことを可能にするため、キーボードは多数のキーから構成されている。このため、文字を上手に早く打ち込むために、ユーザはキーの配置などを覚え、キーボードを効率よく操作できるようにする必要がある。そこで、キーの配置などを覚えるために、パソコンの表示画面上に例文を表示し、その例文と同じ文字列をユーザがキーボードを操作して入力することで文字の入力方法を練習するという文字入力練習用プログラムがあった。
【０００４】
【発明が解決しようとする課題】
ところが、従来の方法では、予め文字入力練習用プログラムにて決められた例文でしか練習できなかった。つまり、何回も練習していると、ユーザは例文パターンを覚えてしまい、効果的な練習にならなかった。
【０００５】
本発明は上記問題点を解決するためになされたものであって、その目的は、効果的な入力練習することができる文字入力練習用プログラム及びその記録媒体を提供することにある。
【０００６】
【課題を解決するための手段】
上記目的を達成するために、請求項１に記載の発明は、情報処理端末が文字列で構成される例文を情報処理端末に備えられた出力装置に表示し、ユーザが前記情報処理端末に備えられたキーボードにて前記例文と同様の文字列を入力する文字入力練習用プログラムにおいて、前記情報処理端末がネットワーク上のコンテンツから抽出した文字データを前記例文として表示する。
【０００７】
請求項２に記載の発明は、前記情報処理端末が、ネットワークを介してサーバから受信したコンテンツに含まれる文章に関するデータを加工し、該加工した文字データを前記例文として使用する。
【０００８】
請求項３に記載の発明は、請求項１又は２に記載の文字入力練習用プログラムを記録した。
（作用）
請求項１に記載の発明によれば、情報処理端末はネットワークから様々なコンテンツを受信し、コンテンツから抽出した文字データをキーボードにて文字の入力練習を行うための例文としてユーザに提供する。
【０００９】
請求項２に記載の発明によれば、情報処理端末はネットワークから文章を含むコンテンツを受信し、その文章を加工して、文字の入力練習を行うための例文として提供する。従って、文章を含んだコンテンツあれば、どのような内容のコンテンツであっても、情報処理端末は、受信したコンテンツに含む文章を加工し、加工した文字データをキーボード入力の練習を行うための例文としてユーザに提供する。
【００１０】
請求項３に記載の発明によれば、請求項１又は２に記載のプログラムを記憶した記録媒体を提供する。
【００１１】
【発明の実施の形態】
以下、本発明を具体化した実施形態を図面に従って説明する。
図１はネットワークに接続された情報処理端末としてのパーソナルコンピュータ（以下、単にパソコン）１の概略構成図である。
【００１２】
パソコン１は、文字入力装置としてのキーボード２と、ポインティング・ディバイスとしてのマウス３、出力装置としての表示部４と、記録媒体に記憶されているプログラムやデータを読み込むためのドライブ装置５と、を備えている。また、パソコン１は、通信回線としての電話回線を介してネットワークとしてのインターネット６と接続することができる。該インターネット６には様々なコンテンツを提供するサイト７のコンテンツサーバ８が複数接続されている。
【００１３】
パソコン１は、インターネット６上の各コンテンツサーバ８が提供するコンテンツを閲覧することができる閲覧プログラムを備えている。つまり、パソコン１は、所望のコンテンツサーバ８が提供するコンテンツを指定するアドレスとしてのＵＲＬ（Ｕｎｉｆｏｒｍ　Ｒｅｓｏｕｒｃｅ　Ｌｏｃａｔｏｒ）を入力することで各コンテンツサーバ８が提供するコンテンツをパソコン１が備える表示部４に表示して、閲覧することができる。
【００１４】
パソコン１が備えるキーボード２は複数のキー２ａから構成されており、該キー２ａはパソコン１のＯＳ（Ｏｐｅｒａｔｉｎｇ　Ｓｙｓｔｅｍ）にて予め割り当てられている入力文字にそれぞれ対応している。尚、該入力文字には文字、記号、数字を入力するための入力文字と、パソコンを制御するための制御文字が含まれる。ユーザがこれらのキー２ａを押すことにより、パソコン１はＯＳに基づいて、該キー２ａに対応した処理を行う。
【００１５】
ポインティング・ディバイスとしてのマウス３はユーザからの指示の入力などに用いられる。マウス３を動作させると、その動きに対応してパソコン１の表示部４上に表示されるポインティング・カーソルが移動する。また、マウス３を動作させてポインティング・カーソルを表示部４に選択可能に表示されているボタン・オブジェクト上に移動させ、マウス３に備えられているマウス・ボタン３ａをクリック（押す）することにより、パソコン１はクリックされた該ボタン・オブジェクトに対応付けられた処理を行う。
【００１６】
ドライブ装置５は、プログラム又はデータが記憶されている記憶媒体を駆動し、その記憶内容にアクセスする。パソコン１は、必要に応じてドライブ装置５を利用して記録媒体に記録されているプログラム又はデータ等を読み込み、読み込んだプログラム又はデータに応じた処理を行う。
【００１７】
次に、本実施形態における文字入力練習用プログラムについて説明する。
図２〜図６は文字入力練習用プログラムを説明するための表示画面の説明図である。
【００１８】
文字入力練習用プログラムは記録媒体に記録されており、パソコン１は、ドライブ装置５にて文字入力練習用プログラムにアクセスし、そのプログラムに基づいて処理を行う。
【００１９】
まず、パソコン１は、文字入力練習用プログラムを読み込み、該文字入力練習用プログラムに基づいて、表示部４に初期画面２１を表示する。図２に示すように該初期画面２１は、テキストボックス２２、マウス・カーソル２３、コンテンツを選択するための選択項目２４、例文やキーボード２の打ち方を表示するための入力指示画面２５、を表示する。
【００２０】
テキストボックス２２は、コンテンツサーバ８が提供するコンテンツを指定するＵＲＬを入力するために使用される。該テキストボックス２２にＵＲＬが入力されると、パソコン１は、該ＵＲＬに基づいてコンテンツサーバ８にアクセスし、コンテンツに関するページデータを受信する。
【００２１】
選択項目２４は、文字入力の練習を行うための文章を含んだコンテンツを選択するためのボタン・オブジェクトであり、各選択項目２４はコンテンツサーバ８が提供するコンテンツを指定するＵＲＬとそれぞれ関係付けられている。また、該選択項目２４はマウス３にて選択可能に表示されており、ユーザは、選択項目２４をマウスにて選択すると、該選択項目２４が示すコンテンツの文章を使用した例文で文字入力を練習することができる。尚、図２〜図６においては、下線を付すことにより選択項目２４であることを表現している。
【００２２】
入力指示画面２５は、例文を表示するテキストボックス２６と、実際にキーボード２から入力された文字を表示するテキストボックス２７と、キー２ａの打つ場所や打つ順序を表示するための表示キーボード２８と、から構成されている。
【００２３】
表示キーボード２８について説明する。表示キーボード２８は、キーボード２を構成するキー２ａの配列と同様に配列された表示キー２８ａを表示する。つまり、各表示キー２８ａはそれぞれキー２ａに対応するように表現されている。また、表示キーボード２８は、テキストボックス２６に表示された例文と同じ文字列を入力させるために、次にユーザが押すキー２ａに対応する表示キー２８ａの表示色を反転させて表示し、次にどのキー２ａを押せばいいのかをユーザに対して示唆する。
【００２４】
この初期画面２１において、マウス３を動作させてマウス・カーソル２３を選択項目２４の「天気」に移動させ、マウス・ボタン３ａにてクリックするとパソコン１は文字入力練習用プログラムに基づいて選択項目２４の「天気」と関係付けられているＵＲＬが指定するコンテンツサーバ８にアクセスする。そして、パソコン１は、選択項目２４の「天気」と関係付けられているＵＲＬが指定するコンテンツに関するページデータを該コンテンツサーバ８から受信する。
【００２５】
次に、パソコン１は、受信したコンテンツに関するページデータに基づいて表示部４に該コンテンツに含まれる画像及び文章を表示する。その際、図３の表示画面３１に示すように、パソコン１は文字入力練習用プログラムに基づいて、コンテンツに含まれる文章を構成する文字の表示色を文章が表示されている表示画面３１の背景３２と同じ色で表示する。即ち、パソコン１は、コンテンツを表示部４に表示する際、文章は表示画面３１の背景３２と同じ色で表示され、ユーザの視覚的にはコンテンツの画像３３だけが表示されているように表示する。
【００２６】
そして、パソコン１は、文字入力練習用プログラムに基づいて、受信したコンテンツに含まれている文章の頭から記述されている順に、文章を文節ごとに区切り、区切った文を例文としてテキストボックス２６に表示する。言い換えると、パソコン１はコンテンツに含まれる文章に関するデータを加工することで文節ごとに区切られた文字データを抽出し、該文字データに基づいて、例文をテキストボックス２６に表示する。
【００２７】
パソコン１は、テキストボックス２６に例文を表示すると、文字入力練習用プログラムに基づいて、テキストボックス２６に表示された例文から判断して、次にユーザが実際に押すキー２ａに対応する表示キー２８ａの表示色を反転させる。例えば、図４が示す表示画面４１においては、テキストボックス２６には例文として「青森」とあり、実際にキーボード２から入力された文字を示すテキストボックス２７には「あおｍ」までが入力されている。そして、表示キーボード２８の表示キー２８ａの「Ｏ」の表示色は反転されて表示されているので、次にユーザが押すキー２ａは「Ｏ」であることを示している。
【００２８】
また、パソコン１は、例文と同じ文字列がキーボード２にて実際に入力されると、文字入力練習用プログラムに基づいて、表示部４に表示されているコンテンツに含まれる文章を構成する文字の中で、例文に該当する文字の表示色を変更して文章を表示する表示画面４１の背景４２と異なる色にする。即ち、パソコン１は、ユーザが例文を実際にキーボード２にて打ち込むごとに、コンテンツに含まれる文章を表示するようにする。また、例文と同じ文字列が入力されると、パソコン１は、次の例文をテキストボックス２６に表示する。
【００２９】
例えば、図４の表示画面４１において、例文として表示されている「青森」と同じ文字列が入力されると、図５の表示画面５１に示すように、パソコン１は、文字入力練習用プログラムに基づいて、実際に入力された文字列に該当するコンテンツに含まれる文章の表示色を変更する。即ち、表示画面５１において、コンテンツに含まれる例文「青森」に該当する文章の色を表示画面５１の背景５２の色と異なるようにし、「青森」という文字をユーザが見ることができるように表示する。そして、パソコン１は、コンテンツから抽出した文字データに基づいて、テキストボックス２６に次の例文として「岩手」と表示する。
【００３０】
また、この図５の表示画面５１において、選択項目２４として表示されている「道南」がマウス３にてクリックされると、パソコン１は、該選択項目２４の「道南」と関連づけられているＵＲＬに基づいてインターネット６を介してコンテンツサーバ８にアクセスする。そして、パソコン１はクリックされた選択項目２４の「道南」と関連づけられているＵＲＬに基づいてコンテンツに関するページデータを受信する。
【００３１】
該ページデータを受信したパソコン１は、図６の表示画面６１に示すように、初期画面２１において選択項目２４が選択されたときと同様にして、コンテンツに含まれる文章を表示画面６１の背景６２と同じ色で表示する。つまり、パソコン１は、ユーザがコンテンツに含まれる文章を見ることができないように表示画面６１に表示する。そして、パソコン１は、前述したのと同様にコンテンツに含まれる文章を加工して文字データを抽出し、該文字データに基づいて例文として「室蘭」をテキストボックス２６に表示する。
【００３２】
パソコン１は、文字入力練習用プログラムが終了されない限り、これら一連の処理を文字入力練習用プログラムに基づいて行い続ける。
以上詳述したように本実施の形態は、以下の特徴を有する。
【００３３】
（１）パソコン１は、インターネット６を介してコンテンツサーバ８が提供しているコンテンツを受信し、そのコンテンツに関する文章を加工してキーボード練習用の例文として使用する。このため、ユーザは、さまざまな例文を使用して文字を入力する練習ができる。また、提供されるコンテンツはしばらくすると更新されるので、ユーザが例文を記憶してしまうといったことがなくなり、効率的かつ実際的な練習をすることができる。
【００３４】
（２）ユーザはインターネット６を介して提供されるコンテンツを楽しみながら、文字入力の練習をすることができるので、時間を効率的に使うことができる。
【００３５】
（３）パソコン１は、受信したコンテンツに関するページデータを表示する際、文字入力練習用プログラムに基づいて、文字をユーザの視覚的には表示されないように表示し、文字がキーボード２から実際に入力された順に表示画面３１、４１、５１に表示するようにした。このため、ユーザはどこまで入力したかについて理解しやすい上に、文字入力を楽しむことができる。
【００３６】
なお、上記以外に次の形態にて具体化できる。
○上記実施形態では、選択項目２４をマウス３にてクリックすることにより、コンテンツに関するページデータを受信していたが、ＵＲＬを入力するためのテキストボックス２２に直接ＵＲＬを入力してコンテンツを指定し、コンテンツに関するページデータを受信してもよい。この場合も、上記実施形態と同様に、受信したコンテンツから文字入力練習の例文を作成することができる。従って、ユーザは、選択項目が示すコンテンツだけではなく、自分の興味があるコンテンツに含まれる文章を例文として練習することができ、ユーザの趣向に沿った練習方法を提供することができる。
【００３７】
○上記実施形態において、パソコン１は、日本語で記述されたコンテンツだけでなく、英語などの様々な言語で記述されたコンテンツを受信し、それらのコンテンツを加工して文字入力の練習用の例文としてもよい。このようにすれば、ユーザは、文字入力の練習を色々な言語によりすることができる。
【００３８】
○上記実施形態では、文字入力練習用プログラムを動作させるのにパソコン１を使用したが、携帯端末などの他の情報処理端末で動作させてもよい。
○上記実施形態では、文字入力練習用プログラムは記録媒体に記録されていたが、インターネットを介してサーバから文字入力練習用プログラムを受信してプログラムを動作させてもよい。また、パソコンが備える記憶装置に記憶されていてもよい。
【００３９】
○上記実施形態では、コンテンツに関するページデータを受信したとき、パソコン１は、文字入力練習用プログラムに基づいて文字の色を背景と同じ色にしたが、背景と同じ色にしなくともよい。
【００４０】
○上記実施形態では、パソコン１は、文字入力練習用プログラムに基づいてコンテンツサーバ８が提供するコンテンツを加工して例文として使用したが、予め文字入力練習用プログラムに適した例文を提供するコンテンツサーバから例文に関するデータを受信してもよい。コンテンツサーバが、例文に関するデータを更新すれば、上記実施形態と同様の効果を得ることができる。
【００４１】
○上記実施形態では、パソコン１は、例文が入力されるごとに文章を見ることができるように表示していたが、文字が入力されるごとに見ることができるように表示してもよい。
【００４２】
○上記実施形態では、情報処理端末としてパソコン１に具体化したが、キーボードを備えたものならば、パソコン以外の情報処理端末に具体化しても良い。例えば、ＰＤＡ（Ｐｅｒｓｏｎａｌ　Ｄｉｇｉｔａｌ　Ａｓｓｉｓｔａｎｃｅ）などの情報処理端末にて具体化しても良い。また、本実施携帯では、ノート型パソコンを例示したが、タワー型やブック型等でもよく、ワークステーション等で用いても良い。
【００４３】
上記実施形態並びに別例から把握できる技術的思想について以下に記載する。
（イ）前記情報処理端末が、ネットワークを介してサーバから文章に関するデータを受信し、該データに基づいて表示する文章を文節ごとに区切り、文節ごとに区切った文字列データに基づいて、前記例文を前記出力装置に表示することを特徴とする請求項１又は２に記載の文字入力練習用プログラム。従って、文章に関するデータをサーバから受信すれば、情報処理端末は文章を文節ごとに区切り、例文としてユーザに提供することができる。
【００４４】
（ロ）前記情報処理端末が、サーバから受信した文章に関するデータを前記出力装置に表示する際、文章を構成する文字の色を変更して文章を表示する表示画面の背景と同じ色で表示し、ユーザがキーボードにて文字を入力するごとに前記表示画面に表示された文字の色を変更することを特徴とする請求項１又は２に記載の文字入力練習用プログラム。このため、ユーザはどこまで入力したかについて理解しやすい上に、文字入力を楽しむことができる。
【００４５】
（ハ）前記情報処理端末が、サーバから受信した文章に関するデータを前記出力装置に表示する際、文章を構成する文字の色を変更して文章を表示する表示画面の背景と同じ色で表示し、ユーザがキーボードにて前記例文と同じ文字列を入力するごとに前記表示画面に表示された例文と同じ文字列の文章の色を変更することを特徴とする請求項１又は２に記載の文字入力練習用プログラム。このため、ユーザはどこまで入力したかについて理解しやすい上に、文字入力を楽しむことができる。
【００４６】
【発明の効果】
以上詳述したように、請求項１又は２に記載の発明によれば、効果的な入力練習することができる文字入力練習用プログラムを提供することができる。
【００４７】
請求項３に記載の発明によれば、効果的な入力練習することができるプログラムを記憶した記録媒体を提供することができる。
【図面の簡単な説明】
【図１】インターネットに接続されたパソコンの概略構成図。
【図２】文字入力練習用プログラムの初期画面を説明するための表示画面の説明図。
【図３】文字入力練習用プログラムを説明するための表示画面の説明図。
【図４】文字入力練習用プログラムを説明するための表示画面の説明図。
【図５】文字入力練習用プログラムを説明するための表示画面の説明図。
【図６】文字入力練習用プログラムを説明するための表示画面の説明図。
【符号の説明】
１…パソコン、２…キーボード、２ａ…キー、３…マウス、４…表示部、５…ドライブ装置、６…インターネット、７…サイト、８…コンテンツサーバ。
【図１】
2004086035.tif 000003
【図２】
2004086035.tif 000004
【図３】
2004086035.tif 000005
【図４】
2004086035.tif 000006
【図５】
2004086035.tif 000007
【図６】
2004086035.tif 000008